(57)【要約】      （修正有）【課題】デッキプレートの穴あけ加工の際の火花等の飛散を受け止める技術を提供する。【解決手段】上底が開放された略円筒形状の金属製火花受け容器２の下底に伸縮自在の支え棒４が取り付けられていることに加え、天井と床との間を前記火花受け容器の上面と前記支え棒の脚部下面とで突っ張って支えることに加えて前記略円筒形の上底に近接した部分で発生した振動音を前記火花受け容器が集音し前記容器に接続されたホースに伝達することを特徴とする天井支え棒付き火花受け容器。【選択図】図１
2009279646.tif 000002
【特許請求の範囲】
【請求項１】
上底が開放された略円筒形状の金属製火花受け容器の下底に伸縮自在の支え棒が取り付けられていることに加え、天井と床との間を前記火花受け容器の上面と前記支え棒の脚部下面とで突っ張って支えることを特徴とした天井支え棒付き火花受け容器。
【請求項２】
請求項１の天井支え棒付き火花受け容器の前記略円筒形の上底に近接した部分で発生した振動音を前記火花受け容器が集音し前記容器に接続されたホースに伝達することを特徴とする天井支え棒付き火花受け容器。
【請求項３】
請求項１の天井支え棒付き火花受け容器の前記略円筒形の上底に近接した部分で発生した振動音を前記火花受け容器が前記振動音の発生場所に向けて音を増倍反響させることを特徴とする天井支え棒付き火花受け容器。
【請求項４】
請求項２または３の天井支え棒付き火花受け容器において、前記ホースが前記容器からの排水を通すドレインとして機能することを特徴とする天井支え棒付き火花受け容器。
【請求項５】
請求項１から４のいずれかの天井支え棒付き火花受け容器において、前記火花受け容器に冷却水を溜めることを特徴とする天井支え棒付き火花受け容器。
【発明の詳細な説明】
【技術分野】
【０００１】本発明はデッキプレートに穴あけ加工等を行う切断作業時に、床下に飛び散る火花を受けるための火花受け容器に関する。
【背景技術】
【０００２】  本発明に関連した先行技術として、建築現場では切断するデッキプレートの床下で作業者が水を入れたバケツの柄を棒で下から支える方法がよく採用されていた。デッキプレートの上では別の作業者が溶接バーナーを使用してガス切断作業を行う際には、下の作業者は貫通した切断部分から下に飛び散る火花や赤熱した鉄小片を前記のバケツで受けるためにバケツを微妙に動かす必要がある。バケツで火花や赤熱した鉄小片を受け止められない場合に構造物が燃えたり焦げたりしないように上部デッキプレートの下面に取り付けられた鉄骨梁等にスパッターシートを貼り付けたり、バケツを操作する作業員も防火服を着用するなどの用意が必要である。
デッキプレート下の作業員の負担を減らす発明が特開平１０−１５９３４７（特許文献１）に開示されている。開示されている切断作業の際に出る屑受け具は、支柱体の上端部に傘骨状となるようにして設けられた複数の指示腕及びこれら支持腕に係止して袋状となる受け部材とを備えたことを特徴としている。火花受けの部分が骨と袋状部材の２つの部材で構成されていることが特徴である。
火花（スパッタ）受けをデッキプレートから懸架する発明が実開平６−２９７９１（実用新案文献１）に開示されている。耐火シートを箱状に成型したスパッタ受け装置を鎖等で吊り下げる技術である。吊り下げるためにデッキプレートに穴を空ける必要がある。
特許文献１と類似した発明が特開２００２−４５８８（特許文献２）に開示されている。特許文献１との差異は袋状の耐火シートの隅にマグネットが具備されていることである。これによってデッキプレートに磁力で付けることができる。
デッキプレート切断溶接機自身に溶融金属を吸引する仕組みを組み込んだ発明が特開平７−６８３８３（特許文献３）に開示されている。
【特許文献１】特開平１０−１５９３４７
【実用新案文献１】
実開平６−２９７９１
【特許文献２】特開２００２−４５８８
【特許文献３】特開平７−６８３８３
【発明の開示】
【発明が解決しようとする課題】
【０００３】  従来はデッキプレートに穴あけをする際には発生する火花や溶融金属小片が建物や工具に当たって火災等を起こさないように工夫する必要がある。上記特許文献３に示すように切断溶接機自身に吸引の機能を付加した例もあるが、この場合は切断溶接機自身が大型化かつ高価なものになってしまう。
バケツで受ける場合には切断溶接作業中ずっと作業者が水の入ったバケツを持っていなければならず重労働であり人手もかかる。また、火花や溶融金属小片が作業者に降ってきた場合には作業者が火傷をする懸念も抱えた方法である。
紹介した特許文献１の方法では火花受け容器部分が傘の骨の部品と不燃布の２つの部品で構成されているので使用する際に組立の手間がかかる課題を抱えていた。また、不燃布が傘の骨から外れて容器構造が壊れてしまう懸念も抱えている。また、不透明なデッキプレートの上面で行われる作業を予測して背面に火花受け容器を設置するため場所がずれてしまう懸念もある。
実用新案文献１の方法は設置のためにデッキプレートに穴をあけなければならず手間がかかる方法である。
特許文献２の方法は特許文献１が抱えるのと同様の課題を抱えているとともにマグネットがデッキプレートからうまく外れないとそのマグネットを外すために梯子などに登って作業をしなくてはならず手間がかかる。
以上述べたとおり、従来の方法では手間を省いてかつ安全にデッキプレートの穴あけ作業をすることが困難であった。
【課題を解決するための手段】
【０００４】本発明の天井支え棒付き火花受け容器は、第１の特徴として、上底が開放された略円筒形状の金属製火花受け容器の下底に伸縮自在の支え棒が取り付けられていることに加え、天井と床との間を前記火花受け容器の上面と前記支え棒の脚部下面とで突っ張って支えることを特徴とし、
第２に、前記第１の特徴に加えて、前記略円筒形の上底に近接した部分で発生した振動音を前記火花受け容器が集音し前記容器に接続されたホースに伝達することを特徴とし、
第３に、前記第１の特徴に加え、天井支え棒付き火花受け容器の前記略円筒形の上底に近接した部分で発生した振動音を前記火花受け容器が前記振動音の発生場所に向けて音を増倍反響させることを特徴とし、
第４に、前記第２または第３の特徴に加えて、前記ホースが前記容器からの排水を通すドレインとして機能することを特徴とし、
第５に、前記第１から第４のいずれかの特徴に加え、前記火花受け容器に冷却水を溜めることを特徴とする。
【発明の効果】
【０００５】  本発明の天井支え棒付き火花受け容器は、デッキプレートの穴あけ加工の際に飛び散る火花や赤熱した鉄小片で周辺の構造物や工事機材が焼け焦げたり損傷したりすることを安全にかつ効率的に防ぐ効果がある。前記容器で振動音を受信してホースに伝達する機能を有している場合には、そのホースの一端を作業者が耳に当てて聞いていると、天井であるデッキプレートの穴あけ加工の音を聞き取ることができる。穴あけ作業のちょうど真下に火花受け容器が位置している場合には加工音が大きく聞こえるので容器が正しく設置されていることを実際に火花等が飛び散る前の時点で確認できる。容器が穴あけ加工音を増倍反響する場合にも同様に火花等が飛び散る前の時点で確認できる。この場合にはデッキプレートの上で穴あけ加工作業をしている作業者自身が、予め設置した容器が正しい位置に設置されていることを確認できるので一人の作業者で穴あけ加工作業を効率的に行える。
容器に冷却水を溜める機能を有している場合には、火花等が冷却水によって即座に冷やされるので容器の損傷を抑制できる。
【発明を実施するための最良の形態】
【０００６】  本発明を実施するための最良の形態を実施例１として図１を用いて説明する。２階部分のデッキプレート１００をバーナー１０１で穴あけ加工する際に、前記デッキプレートの床下部分すなわち一階部分の床１０２から立ち上げた天井支え棒付き火花受け容器１を設置する例である。鉄製の火花受け容器２には冷却水１０３が蓄えられている。前記火花受け容器は直径２００ｍｍで高さが１００ｍｍの略円筒形をしている。その側面には排水ドレイン３が取り付けられている。図１は排水ドレインの端がキャップでふさがれていて冷却水が漏れない状態になっている。この火花受け容器の上底は開放されており下底はふさがっていて、この下底には支え棒腕部品４と支え棒脚部品５が付加されており、支え棒全体の長さは前記脚部品の内側に部分的に収まっている腕部品の収まり長さの調整で調整している。長さはグリップ６を絞めることで固定する。【０００７】この実施例１では作業者はまず穴あけ加工の予定位置を予測して１階に前記火花受け容器を設置し、２階に上がって前記デッキプレートの穴あけ加工の予定位置を前記バーナーもしくはハンマー等で叩く。火花受け容器が穴あけ加工の予定位置に正確に設置されていれば前記容器が倍増反響で作業者に強い音、特徴のある音として響く。一方、火花受け容器がずれた位置に設置されてしまっている場合には通常の小さな反響音となって聞こえる。この小さな反響音は１階の建物空間全体で反響する反響音であり、振動が広い範囲に拡散してしまっているので小さな音になってしまう。また、火花受け容器が正しい位置に設置されていることの再確認のために穴あけ加工位置からずれた位置を叩くと通常の小さな反響音となる。このことで２階のデッキプレート上の作業者は床下の容器が正確な位置に置いてあると安心して作業を行うことができる。デッキプレートをハンマー等で叩いた際に前記容器が背面にある場合にはその円筒形の容器で振動が反射されて独特の反響音が生じるために容器がない場合との違いを聞き分けることが可能となる。【０００８】溶断が進んで前記デッキプレートの下面から火花等が吹き出し場合には、この火花受け容器がその火花等を受け止める。赤熱した鉄の小片は容器に貯めてある冷却水に浸かって急速に冷却される。このことで薄い鉄製の火花受け容器が溶けてしまうリスクが低減できる。
【実施例】
【０００９】  本発明の実施例２について、図２を用いて説明する。図１で示した実施例１と同様の実施例であるが、実施例１とは異なる以下の特徴を有する。
本実施例では、２階の作業者が穴あけ加工の作業前にハンマー等でデッキプレートを叩く音を１階にいる別の作業者が前記ホース７の端部を耳に当てて聞き分ける作業を行うという特徴を有した例である。火花受け容器２が集音装置として機能しているので前記容器の中心が叩いている位置の真下に位置している場合には独特の反響音が極大の強度で聞きとられることになる。位置がずれれば音は小さくなり、また、ハンマー等で叩いている位置が容器からずれた外側である場合には音色も異なる。この違いを聞き分けながら支え棒付き火花受け容器１を左右に移動させて反響音が極大になる位置に設置する。
なお、前記ホースは図２に示すように排水ドレイン３のキャプの高い位置に取り付けてある。このことでホースの内径の下端の高さまでは図２に描いたように冷却水１０３を火花受け容器２内部に溜めることができる。１階の作業者は２階の作業者の穴あけ加工の作業がある程度進んでデッキプレートへの切り込みが貫通して火花等が１階の天井となるデッキプレートの下面から発散されるのを見届けて前記支え棒付き火花受け容器が正しい位置に設置されていることを確認する。ずれている場合には前記容器を左右にずらして位置の修正を行う。【００１０】  本発明の実施例３について説明する。図２に描いた実施例２と類似した実施例であるが以下のような実施例３特有の特徴を有する。
図３において火花受け容器２に耐火布製鍔８が載った構成の支え棒付き火花受け容器１の構成となっている。この耐火布製鍔は灰皿と類似した構造である。ちょうど灰皿の底が抜けた構造となっており、上から眺めると火花受け容器２に溜めた冷却水１０３を見ることができる。この耐火布製鍔は穴あけ加工の際に飛び散る火花等をもれなく受け止めるための補助具として機能する。この支え棒付き火花受け容器を現場から現場に移動する際には耐火布製鍔は本体から取り外して移動する。また、穴あけ加工時に図３の状態で取り付けられると耐火布製鍔の下端が冷却水１０３で濡れるので前記加工作業の終了後には耐火布製鍔を本体から取り外して乾燥させる。【００１１】  本発明の実施例４について説明する。建築途中の建物の２階のテラスの仮設排水管として利用する例である。支え棒付き火花受け容器１は１階のテラスの排水溝１０４の位置に設置する。支え棒脚部品５の下端の円盤の径は前記排水溝に図４に描くようにはまる大きさに設定してある。予め短くしてあった支え棒腕部品４を上方に伸ばして火花受け容器２を２階テラス１０５の下面に押しつける。この状態は図４に描いたように２階テラスの排水溝１０４□を下から塞いだ状態となる。この状態で仮固定するために前記支え棒腕部品を固定する。固定の際にはグリップ６を回して前記支え棒脚部品を内側にすぼめて筒状の前記脚部品の内部を通している前記支え棒腕部品を圧迫させる。
仮固定がなされたら作業者は２階のテラスに移動して、梁部品９を排水溝１０４□に懸架ワイヤー１０を結びつける。なお、この懸架ワイヤーは予め前記火花受け容器の中央部分にその一端が結び付けられている。
火花受け容器２には排水ドレイン３が取り付けられており、この排水ドレインのキャップにはホース７がつながれている。図４に描かれているように横に伸びた排水ドレインからホースが横方向に伸びているので１階のテラスに触れずにホースを下方向に垂らすことができる。図４では省略しているが実際の工事現場ではテラスの手すりが取り付けられているが実施例４で示した技術を用いることで手すりにも触れずにホースを垂らすことができる。
【図面の簡単な説明】
【００１２】
【図１】は本発明の実施例１の構成図である。
【図２】は本発明の実施例２の構成図である。
【図３】は本発明の実施例３の構成図である。
【図４】は本発明の実施例４の構成図である。
【符号の説明】
【００１３】  １は天井支え棒付き火花受け容器、２は火花受け容器、３は排水ドレイン、４は支え棒腕部品、５は支え棒脚部品、６はグリップ、７はホース、８は耐火布製鍔、９は梁部品、１０は懸架ワイヤー、１００はデッキプレート、１０１はバーナー、１０２は床、１０３は冷却水、１０４および１０４□は排水溝、１０５は２階テラスである。
【図１】
2009279646.tif 000003
【図２】
2009279646.tif 000004
【図３】
2009279646.tif 000005
【図４】
2009279646.tif 000006